(57)【特許請求の範囲】
【請求項１】
光接続用スリーブを内蔵保持する貫通孔を有する光コネクタアダプタにおいて、
前記貫通孔の長手方向一端部を形成する第１の筒状部材が一体的に設けられたスリーブホルダと、前記貫通孔の長手方向他端部を形成する第２の筒状部材が一体的に設けられると共に前記スリーブホルダを内部に保持する形状を有するハウジングと、これらスリーブホルダ及びハウジングを前記第１の筒状部材及び第２の筒状部材のそれぞれの一端同士を当接させた状態で係合する係合手段とを有し、前記第１の筒状部材及び第２の筒状部材のそれぞれの他端側には径方向に突出して前記光接続用スリーブの軸方向への移動を規制する係止凸部が一体的に設けられ、
前記ハウジングは、光コネクタプラグと結合可能な開口部を形成し、前記スリーブホルダには、前記第１の筒状部材及び第２の筒状部材を挟むように設けられ且つこれら第１の筒状部材及び第２の筒状部材の間に内蔵された前記光接続用スリーブを介して光接続される光コネクタプラグと係合する突起部を先端部に有する爪部が設けられ、前記爪部の弾性変形する部分が、基端部側の厚みが厚い厚肉部と、先端部側の厚みが薄い薄肉部とで形成されていることを特徴とする光コネクタアダプタ。
【請求項２】
請求項１記載の光コネクタアダプタにおいて、前記係合手段は、前記スリーブホルダが前記ハウジングに組み合わされた状態で当該ハウジングに挿入されて保持される係止ピンと、前記スリーブホルダに一体的に設けられ且つ前記ハウジングに組み合わされた状態で前記係止ピンに係止する係止部とを有することを特徴とする光コネクタアダプタ。
【請求項３】
請求項１記載の光コネクタアダプタにおいて、前記係合手段は、前記ハウジング及びスリーブホルダの何れか一方に設けられた係止つめと、他方に設けられ且つ前記係止つめと係合する係止凹部とを有することを特徴とする光コネクタアダプタ。
【請求項４】
請求項１記載の光コネクタアダプタにおいて、前記爪部の薄肉部の先端側に前記突起部が設けられており、当該突起部近傍が相対的に肉厚に設けられていることを特徴とする光コネクタアダプタ。
【請求項５】
請求項４記載の光コネクタアダプタにおいて、前記薄肉部と前記突起部との境界部がＲ形状であることを特徴とする光コネクタアダプタ。
【請求項６】
請求項１〜５の何れか１項記載の光コネクタアダプタにおいて、前記光コネクタプラグがＳＣ型又はＭＵ型光コネクタプラグであることを特徴とする光コネクタアダプタ。
【請求項７】
請求項１〜６の何れか１項記載の光コネクタアダプタにおいて、前記光接続用スリーブを内蔵保持する貫通孔が複数並設されていることを特徴とする光コネクタアダプタ。
【発明の詳細な説明】
【０００１】
【発明の属する技術分野】
本発明は、部品点数を減らした光コネクタアダプタの光接続用スリーブの保持構造及びそれを用いた光コネクタアダプタに関する。
【０００２】
【従来の技術】
従来より、ＳＣ型光コネクタアダプタに代表される光コネクタ用アダプタには、光ファイバを内蔵したフェルール同士を対向して整列させて光ファイバ同士を光結合するための光接続用スリーブが内蔵されている。また、かかる光接続用スリーブは、軸方向に二分割されたスリーブホルダにより保持され、このスリーブホルダは軸方向に二分割されるハウジングにより保持されている。
【０００３】
ここで、ＳＣ型光コネクタアダプタの外観図及び縦断面を図２０及び図２１に示す。これらの図面に示すように、一条のスリットを有する割スリーブなどの光接続用スリーブ１０１は、一対のスリーブホルダ１０２及び１０３に内蔵されている。また、一対のスリーブホルダ１０２及び１０３は、一対のハウジング１０４及び１０５により保持されている。
【０００４】
これらスリーブホルダ１０２及び１０３には、それぞれ光接続用スリーブ１０１を内蔵するための保持穴１０２ａ及び１０３ａを有し、保持穴１０２ａ及び１０３ａの一端部には周縁部が内方に突出したストッパ部１０２ｂ及び１０３ｂが円周方向に亘って設けられている。ストッパ部１０２ｂ及び１０３ｂは、それぞれ光接続用スリーブ１０１の端面に当接して光接続用スリーブ１０１の軸方向の移動を規制するものである。また、これら一対のスリーブホルダ１０２及び１０３は、光接続用スリーブ１０１を軸方向両側から挟持する構造となっている。従って、軸方向内側の端部は、互いに嵌合する構造となり、周縁部にはフランジ部１０２ｃ及び１０３ｃが設けられている。なお、スリーブホルダ１０２及び１０３は、径方向に相対向する位置に、光コネクタプラグに係合する係止爪１０２ｄ及び１０３ｄを先端に有する一対の爪部１０２ｅ及び１０３ｅをそれぞれ具備する。
【０００５】
一方、ハウジング１０４及び１０５は、両者を接合するためのフランジ部１０４ａ及び１０５ａを有し、その内周面には、スリーブホルダ１０２及び１０３のフランジ部１０２ｃ及び１０３ｃを挟持保持する保持溝１０４ｂ及び１０５ｂを有する。従って、ハウジング１０４及び１０５のフランジ部１０４ａ及び１０５ａを超音波等により溶着することにより、一対のスリーブホルダ１０２及び１０３は、ハウジング１０４及び１０５の内周面に形成された保持溝１０４ｂ及び１０５ｂに挟持保持されるようになっている。また、ハウジング１０４及び１０５のフランジ部１０４ａ及び１０５ａとは反対側には光コネクタプラグが挿入できる開口部１０４ｃ及び１０５ｃが形成されている。
【０００６】
なお、一方のハウジング１０５の外周面には、光コネクタ取付パネルと係合する金属製の係止ばねであるプレート１０６が設けられている。
【０００７】
【発明が解決しようとする課題】
上述したように、従来の光コネクタアダプタは、５つの部品を組み合わせてから、超音波溶着やネジ止め、リベット止めするため、組立作業に時間がかかりコストが高くなってしまうという問題がある。また、部品点数が多いため、材料費も割高になってしまっていた。
【０００８】
また、左右のハウジングの位置決め精度を高くすることが難しいという問題があり、光接続の安定性、特にコネクタの着脱を繰り返したときの光損失の再現性や、光ファイバコードの引っ張りや曲げを加えたときの光損失の変動を生ずる場合がある。
【０００９】
さらに、ハウジングは２分割されたものを圧入又は接着等により固着されているため、固定強度が弱いという問題がある。
【００１０】
本発明はこのような事情に鑑み、部品点数の低減を図ると共に組付けが容易で、且つ左右のハウジングの位置決め精度を向上した光コネクタアダプタの光接合用スリーブの保持構造及び光コネクタ用アダプタを提供することを課題とする。
【００１１】
【課題を解決するための手段】
前記課題を解決する本発明の第１の態様は、光接続用スリーブを内蔵保持する貫通孔を有する光コネクタアダプタにおいて、前記貫通孔の長手方向一端部を形成する第１の筒状部材が一体的に設けられたスリーブホルダと、前記貫通孔の長手方向他端部を形成する第２の筒状部材が一体的に設けられると共に前記スリーブホルダを内部に保持する形状を有するハウジングと、これらスリーブホルダ及びハウジングを前記第１の筒状部材及び第２の筒状部材のそれぞれの一端同士を当接させた状態で係合する係合手段とを有し、前記第１の筒状部材及び第２の筒状部材のそれぞれの他端側には径方向に突出して前記光接続用スリーブの軸方向への移動を規制する係止凸部が一体的に設けられ、前記ハウジングは、光コネクタプラグと結合可能な開口部を形成し、前記スリーブホルダには、前記第１の筒状部材及び第２の筒状部材を挟むように設けられ且つこれら第１の筒状部材及び第２の筒状部材の間に内蔵された前記光接続用スリーブを介して光接続される光コネクタプラグと係合する突起部を先端部に有する爪部が設けられ、前記爪部の弾性変形する部分が、基端部側の厚みが厚い厚肉部と、先端部側の厚みが薄い薄肉部とで形成されていることを特徴とする光コネクタアダプタにある。
【００１２】
本発明の第２の態様は、第１の態様において、前記係合手段は、前記スリーブホルダが前記ハウジングに組み合わされた状態で当該ハウジングに挿入されて保持される係止ピンと、前記スリーブホルダに一体的に設けられ且つ前記ハウジングに組み合わされた状態で前記係止ピンに係止する係止部とを有することを特徴とする光コネクタアダプタにある。
【００１３】
本発明の第３の態様は、第１の態様において、前記係合手段は、前記ハウジング及びスリーブホルダの何れか一方に設けられた係止つめと、他方に設けられ且つ前記係止つめと係合する係止凹部とを有することを特徴とする光コネクタアダプタにある。
【００１７】
本発明の第４の態様は、第１の態様において、前記爪部の薄肉部の先端側に前記突起部が設けられており、当該突起部近傍が相対的に肉厚に設けられていることを特徴とする光コネクタアダプタにある。
【００１８】
本発明の第５の態様は、第４の態様において、前記薄肉部と前記突起部との境界部がＲ形状であることを特徴とする光コネクタアダプタにある。
【００１９】
本発明の第６の態様は、第１〜５の何れかの態様において、前記光コネクタプラグがＳＣ型又はＭＵ型光コネクタプラグであることを特徴とする光コネクタアダプタにある。
【００２２】
本発明の第７の態様は、第１〜６の何れかの態様において、前記開口部が複数並設されていることを特徴とする光コネクタアダプタにある。
【００２３】
かかる本発明の光コネクタアダプタでは、内部に光接合用スリーブを組み付けた状態でハウジングとスリーブホルダとを係合手段により組み付けるだけで光コネクタアダプタを組み立てることができる。
【００２４】
【発明の実施の形態】
以下、図面を参照して本発明の実施の形態を詳細に説明する。
【００２５】
（実施形態１）
図１は、実施形態１に係る光コネクタアダプタの分解斜視図、図２は、そのハウジングの一部を切り欠いた斜視図、図３は、そのスリーブホルダの一部を切り欠いた斜視図、図４は、組立状態の一部を切り欠いた斜視図である。
【００２６】
本実施形態の光コネクタアダプタ１０は、ＳＣ型光コネクタアダプタであり、スリーブホルダ２０と、このスリーブホルダ２０を保持するハウジング３０とを具備する。
【００２７】
スリーブホルダ２０は、光接続用スリーブ１を内蔵する貫通孔１１の長手方向一端部を形成する第１の筒状体２１を有し、この第１の筒状体２１の軸方向一端には光接続用スリーブ１を係止するストッパ爪２２が径方向内側に突出している。第１の筒状体２１の他端部の外周には矩形状のフランジ部２３が設けられている。
【００２８】
また、フランジ部２３の両短辺側には、第１の筒状体２１及び後述するハウジングの第２の筒状体を挟むように設けられ且つ先端に係止爪２４ａ及び２５ａを有する爪部２４及び２５がそれぞれ一対ずつ設けられている。これら爪部２４及び２５は、光コネクタプラグとの結合を行うためのものである。また、フランジ部２３の短辺側端部には、それぞれ一対の係止突起２６が設けられている。さらに、フランジ部２３の第１の筒状体２１とは反対側の面には、凹部２７が設けられている。
【００２９】
ハウジング３０は、スリーブホルダ２０を内蔵する構造の貫通孔３１を有し、貫通孔３１の両短辺側には、フランジ部２３の端部と嵌合する溝部３２が設けられている。また、貫通孔３１内の軸方向中央部からフランジ部２３の挿入方向とは反対側には、フランジ部２３の凹部２７に嵌合するフランジ部３３と、このフランジ部３３から軸方向に延設される第２の筒状体３４とが設けられており、第２の筒状体３４の端部には光接続用スリーブ１を係止するストッパ爪３５が径方向内側に突設されている。また、フランジ部３３の両短辺側には、爪部２５が挿通できる挿通孔３６が設けられている。
【００３０】
また、ハウジング３０の壁には、幅方向両側が貫通する溝部からなる挿入溝３７が設けられ、スリーブホルダ２０とハウジング３０とを係合する係止ピン４０が挿入可能となっている。
【００３１】
ここで、係止ピン４０は、本実施形態では、略コ字形状を有し、貫通孔３７ａに挿入される腕部４１が、スリーブホルダ２０の係止突起２６と係合するようになっている。
【００３２】
一方、ハウジング３０の短辺側側面の軸方向中央部には固定用フランジ３８が設けられ、固定用フランジ３８には、当該ハウジング３０を固定するための固定溝３８ａが設けられている。さらに、ハウジング３０の軸方向の一方側の相対向する短辺側側面及びこれらの間の表面には、それぞれ連続する凹部３９が形成されており、この凹部３９には、金属製の係止爪５１を有するコ字状のプレート５０が嵌合するようになっている。
【００３３】
以上説明した本実施形態の光コネクタアダプタ１０を組み立てるには、光接続用スリーブ１を第１の筒状体２１と第２の筒状体３４との間に挟んでスリーブホルダ２０をハウジング３０内に挿入し、係止ピン４０を挿入溝３７に挿入すればよい。
【００３４】
ここで、スリーブホルダ２０及びハウジング３０は、それぞれ一体成形できる。スリーブホルダ２０は、プラスチック成形によるのが好ましく、ハウジング３０は、プラスチック成形、金属射出成形（ＭＩＭ）、ダイキャストによるのが好ましい。
【００３５】
（実施形態２）
図５は、実施形態２に係る光コネクタアダプタの分解斜視図、図６は、そのハウジングの一部を切り欠いた斜視図、図７は、そのスリーブホルダの一部を切り欠いた斜視図、図８は、組立状態の一部を切り欠いた斜視図である。
【００３６】
本実施形態の光コネクタアダプタ１０Ａは、スリーブホルダ２０Ａと、このスリーブホルダ２０Ａを保持するハウジング３０Ａとを係合する係合手段が実施形態１と異なる以外は、基本的構成は同一であるので、同一作用を示す部分には同一符号を付して重複する説明は省略する。
【００３７】
スリーブホルダ２０Ａが実施形態１と異なる点は、第１の筒状体２１の端部の外周に設けられた矩形状のフランジ部２３の短辺側端部に一対のガイド部材６１が爪部２４に沿って立設され、ガイド部材６１の先端部の外側に係止突起６５が設けられている点である。また、ガイド部材６１には、爪部２４に対向する位置に窓部６３が形成され、爪部２４の弾性変形を妨げないようになっている。なお、一対のガイド部材６１の外形寸法はハウジング３０Ａの貫通孔３１に略嵌合する寸法である。
【００３８】
一方、ハウジング３０Ａは、ガイド部材６１に設けられた係止突起６５が係合する係止孔６９が側面に設けられている点が実施形態１と異なる。
【００３９】
以上説明した本実施形態の光コネクタアダプタ１０Ａを組み立てるには、光接続用スリーブ１を第１の筒状体２１と第２の筒状体３４との間に挟んでスリーブホルダ２０Ａをハウジング３０Ａ内に挿入し、ガイド部材６１の係止突起６５をハウジング３０Ａの係止孔６９に係合すればよい。
【００４０】
（実施形態３）
図９は、実施形態３に係る光コネクタアダプタの分解斜視図、図１０は、組立状態の一部を切り欠いた斜視図である。
【００４１】
本実施形態の光コネクタアダプタ１０Ｂは、ＭＵ型光コネクタアダプタである点以外は、基本的構成は実施形態２と同様であるので、同一作用を示す部分には同一符号を付して重複する説明は省略する。かかる光コネクタアダプタ１０Ｂは、スリーブホルダ２０Ｂと、このスリーブホルダ２０Ｂを保持するハウジング３０Ｂとを有する。
【００４２】
スリーブホルダ２０Ｂは、ＭＵ型光コネクタ用の小径の光接続用スリーブ１Ｂを内蔵する貫通孔１１Ｂの長手方向一端部を形成する第１の筒状体２１Ｂを有し、この第１の筒状体２１Ｂの軸方向一端には光接続用スリーブ１Ｂを係止するストッパ爪２２Ｂが径方向内側に突出している。第１の筒状体２１Ｂの他端部の外周には矩形状のフランジ部２３Ｂが設けられており、フランジ部２３Ｂの両短辺側には、ガイド部材７１が設けられている。
【００４３】
かかるガイド部材７１は、後述するハウジング３０Ｂの貫通孔３１Ｂ内に設けられたガイド溝３２Ｂに略嵌合する外形を有する。また、ガイド部材７１の内側には、係止爪７２及び７３がそれぞれ一対ずつ設けられている。これら係止爪７２及び７３は、ＭＵ型光コネクタプラグとの結合を行うためのものである。また、ガイド部材７１の第１の筒状体２１Ｂ側の外側には、係止突起７５が設けられている。
【００４４】
一方、ハウジング３０Ｂは、ガイド部材７１が略嵌合するガイド溝３２Ｂを有すると共に係止突起７５が係合する係止孔７９が側面に設けられている。なお、ハウジング３０Ｂの表面には凹部３９Ｂが形成され、係止爪５１Ｂを有するプレート５０Ｂが嵌合するようになっている。
【００４５】
以上説明した本実施形態の光コネクタアダプタ１０Ｂを組み立てるには、光接続用スリーブ１Ｂを第１の筒状体２１Ｂと第２の筒状体３４Ｂとの間に挟んでスリーブホルダ２０Ｂをハウジング３０Ｂ内に挿入し、ガイド部材７１の係止突起７５をハウジング３０Ｂの係止孔７９に係合すればよい。
【００４６】
（実施形態４）
図１１は、実施形態４に係る光コネクタアダプタの分解斜視図、図１２は、そのスリーブホルダの一部を切り欠いた斜視図、図１３は、スリーブホルダが弾性変形した状態を示す上面図、図１４は、組み立て状態の一部を切り欠いた斜視図である。
【００４７】
本実施形態の光コネクタアダプタ１０Ｃは、ＳＣ型光コネクタアダプタであり、図示するように、ＳＣ型光コネクタアダプタを構成するスリーブホルダ２０Ｃの係止爪２４ａ及び２５ａの形成された爪部２４及び２５が、その基端部側の肉厚の厚い厚肉部２８と、この厚肉部２８に連続して設けられる先端部側の肉厚の薄い薄肉部２９とで形成されている以外、上述した実施形態１のＳＣ型光コネクタアダプタと同一であるので、同一作用を示す部分には同一符号を付して重複する説明は省略する。
【００４８】
また、図１３に示すように、この爪部２４及び２５は、内周面が直線状で形成され、且つ外周面が曲線状に形成されることによって厚肉部２８と薄肉部２９とが設けられている。
【００４９】
また、爪部２４及び２５の係止爪２４ａ及び２５ａとは反対側の側面には、外側に突出する突出部２４ｂ及び２５ｂが設けられており、この突出部２４ｂ及び２５ｂと薄肉部２９との境界部２４ｃ及び２５ｃをＲ形状とし、係止爪２４ａ及び２５ａ近傍の肉厚が若干厚くすることによって、境界部２４ｃ及び２５ｃが折れるのを防止している。
【００５０】
このようなスリーブホルダ２０Ｃは、上述した実施形態１と同様に、係止ピン４０によってハウジング３０内に固定されハウジング３０Ｃとスリーブホルダ２０Ｃとによって光接続用スリーブ１を挟持するようになっている。
【００５１】
このように組み立てられた光コネクタアダプタ１０Ｃに、光コネクタプラグを挿入すると、爪部２４及び２５が弾性変形して光コネクタプラグの外周に係合する。このとき、爪部２４及び２５を厚肉部２８と薄肉部２９とで形成することにより、長手方向に分散されて応力集中が生じにくいので、爪部２４及び２５、特に爪部２４及び２５のフランジ部２３近傍及び係止爪２４ａ及び２５ａ近傍が折れるのを防止することができる。
【００５２】
なお、本実施形態では、爪部２４及び２５の外周面を曲線状に形成することにより厚肉部２８と薄肉部２９とを形成するようにしたが、これに限定されず、例えば、内周面を曲線状に形成するようにしてもよく、また、内周面及び外周面の両方を曲線状に形成して厚肉部及び薄肉部を形成するようにしてもよい。
【００５３】
また、爪部２４及び２５に厚肉部２８及び薄肉部２９を形成するのは曲線に限定されず、例えば、内周面又は外周面もしくはその両方の面を直線状に形成して薄肉部を徐々に薄肉になるようにしてもよい。
【００５４】
（実施形態５）
図１５は、実施形態５に係る光コネクタアダプタの分解斜視図、図１６は、スリーブホルダの一部を切り欠いた斜視図、図１７は、ハウジングの一部を切り欠いた斜視図、図１８は、組み立て状態の一部を切り欠いた斜視図である。
【００５５】
本実施形態の光コネクタアダプタ１０Ｄは、ＬＣ型光コネクタアダプタであり、スリーブホルダ２０Ｄと、このスリーブホルダ２０Ｄを保持するハウジング３０Ｄとを係合する係合手段が実施形態１〜３と異なる以外は、基本的構成は同一であるので、同一作用を示す部分には同一符号を付して重複する説明は省略する。
【００５６】
スリーブホルダ２０Ｄは、第１の筒状体２１及びフランジ部２３を有し、フランジ部２３には、第１の筒状体２１とは反対側に突出するように、係止突起８０が設けられている。
【００５７】
係止突起８０は、フランジ部２３の図中上下方向に突出するように延設された延設部８１を有し、この延設部８１は、第１の筒状体２１に向かって突出した段差部８２が形成されている。すなわち、スリーブホルダ２０Ｄの４角にはそれぞれ段差部８２が形成されている。また、係止突起８０は、その厚みが先端に向かって漸小するテーパ形状となっている。
【００５８】
一方、ハウジング３０Ｄには、スリーブホルダ２０Ｄを挿入可能な貫通孔３１が２つ並設されている。この各貫通孔３１内には、スリーブホルダ２０Ｄの係止突起８０と係合するフランジ部３３が一体的に形成されている。
【００５９】
このフランジ部３３は、貫通孔３１内で上下端がハウジング３０Ｄに連続して形成されており、フランジ部３３の左右両側にはそれぞれスリーブホルダ２０Ｄの係止突起８０が挿通可能な挿通孔３６が形成されている。
【００６０】
この挿通孔３６は、係止突起８０の延設部８１に対応する上下端部分は幅の狭い狭幅部３６ａとなっている。
【００６１】
また、ハウジング３０Ｄの貫通孔３１の上方には、ＬＣ型光コネクタプラグに設けられた係止爪と係合する係合凹部９０及び９１が形成されている。さらに、ハウジング３０Ｄの外周には、ＬＣ型光コネクタアダプタ１０Ｄを図示しないパネルに取り付ける際の着脱に使用する板バネ状のラッチ５１Ｄが一体的に形成されている。
【００６２】
ここで、スリーブホルダ２０Ｄとハウジング３０Ｄとの係合状態を図１９に示す。なお、図１９（ａ）は、ＬＣ型光コネクタアダプタの平面図、（ｂ）及び（ｃ）は（ａ）のＡ−Ａ’断面図及びＢ−Ｂ’断面図である。
【００６３】
ハウジング３０Ｄとスリーブホルダ２０Ｄとは、ハウジング３０Ｄの貫通孔３１にスリーブホルダ２０Ｄを挿入して、スリーブホルダ２０Ｄに設けられた係止突起８０を挿通孔３６に挿入することにより係合する。このとき、図１９（ｂ）及び（ｃ）に示すように、係止突起８０の延設部８１が、挿通孔３６の狭幅部３６ａに挿入され、延設部８１に設けられた段差部８２がフランジ部３３に係合することによって、ハウジング３０Ｄ内にスリーブホルダ２０Ｄが保持される。また、係止突起８０の延設部８１以外の領域は、挿通孔３６に係合せずに挿通されるのみとなっている。
【００６４】
このように、ハウジング３０Ｄに設けられた挿通孔３６に、スリーブホルダ２０Ｄの係止突起８０を係合させることにより、ハウジング３０Ｄ内にスリーブホルダ２０Ｄが割スリーブ１Ｂを挟持して保持される。
【００６５】
この割スリーブ１Ｂを保持したＬＣ型光コネクタアダプタ１０Ｄの貫通孔３１の双方からＬＣ型光コネクタプラグを挿入することによりＬＣ型光コネクタプラグが保持した光ファイバを対向接続させることができる。このとき、ＬＣ型光コネクタプラグに設けられた係止爪がハウジング３０Ｄに設けられた係合凹部９０，９１に係合することでＬＣ型光コネクタプラグはＬＣ型光コネクタアダプタ１０Ｄに固定される。
【００６６】
なお、本実施形態では、ＬＣ型光コネクタアダプタ１０Ｄが２つの光コネクタプラグの対向接続を行えるように貫通孔３１を２つ設けるようにしたが、これに限定されず、例えば、貫通孔を一つだけ設けて一組の光コネクタプラグを対向接続するようにしてもよいし、貫通孔を複数個並設して複数の光コネクタプラグを対向接続するようにしてもよい。
【００６７】
（他の実施形態）
以上説明したように、本実施形態によれば、ＳＣ型光コネクタアダプタの部品点数を従来の６点から４点に低減することができ、コスト削減を図ることができる。
【００６８】
また、組み立て作業に超音波溶着、ねじ止め、リベット止め等の工程を省いて、例えば、ピンの打ち込みのみとすることができるので、作業工程を大幅に簡略化することができる。
【００６９】
さらに、ハウジングが一体化されることにより、プラグを受ける形状の軸が左右側でずれることがなく、安定した光接続が可能となる。
【００７０】
また、例えば、実施形態２及び３では、スリーブホルダ２０Ａ及び２０Ｂにガイド部材６１及び７１を設け、このガイド部材６１及び７１によりスリーブホルダ２０Ａ及び２０Ｂとハウジング３０Ａ及び３０Ｂとを係合するようにしたが、このガイド部材６１及び７１を上述した実施形態４の爪部２４及び２５と同様に、厚肉部と薄肉部とで形成するようにすれば、弾性変形による折れを防止することができる。
【００７１】
なお、本実施形態はＳＣ型、ＭＵ型及びＬＣ型光コネクタアダプタを例にとって説明したが、これに限定されず、類似の他のアダプタに適用可能であることは言うまでもない。
【００７２】
【発明の効果】
以上説明したように、本発明によれば、例えば、ＳＣ型光コネクタアダプタの部品点数を従来の６点から４点に低減することができ、且つ組み立て作業を大幅に簡略化することができるので、大幅なコストダウンを図ることができる。
【図面の簡単な説明】
【図１】本発明の実施形態１に係る光コネクタアダプタの分解斜視図である。
【図２】本発明の実施形態１に係る光コネクタアダプタのハウジングの一部を切り欠いた斜視図である。
【図３】本発明の実施形態１に係る光コネクタアダプタのスリーブホルダの一部を切り欠いた斜視図である。
【図４】本発明の実施形態１に係る光コネクタアダプタの一部を切り欠いた斜視図である。
【図５】本発明の実施形態２に係る光コネクタアダプタの分解斜視図である。
【図６】本発明の実施形態２に係る光コネクタアダプタのハウジングの一部を切り欠いた斜視図である。
【図７】本発明の実施形態２に係る光コネクタアダプタのスリーブホルダの一部を切り欠いた斜視図である。
【図８】本発明の実施形態２に係る光コネクタアダプタの一部を切り欠いた斜視図である。
【図９】本発明の実施形態３に係る光コネクタアダプタの分解斜視図である。
【図１０】本発明の実施形態３に係る光コネクタアダプタの一部を切り欠いた斜視図である。
【図１１】本発明の実施形態４に係る光コネクタアダプタの分解斜視図である。
【図１２】本発明の実施形態４に係る光コネクタアダプタのスリーブホルダの一部を切り欠いた斜視図である。
【図１３】本発明の実施形態４に係るスリーブホルダの弾性変形の状態を示す上面図である。
【図１４】本発明の実施形態４に係る光コネクタアダプタの一部を切り欠いた斜視図である。
【図１５】本発明の実施形態５に係る光コネクタアダプタの分解斜視図である。
【図１６】本発明の実施形態５に係る光コネクタアダプタのスリーブホルダの一部を切り欠いた斜視図である。
【図１７】本発明の実施形態５に係る光コネクタアダプタのハウジングの一部を切り欠いた斜視図である。
【図１８】本発明の実施形態５に係る光コネクタアダプタの一部を切り欠いた斜視図である。
【図１９】本発明の実施形態５に係る光コネクタアダプタの係合状態を示す断面図である。
【図２０】従来技術に係るＳＣ型光コネクタアダプタを一部切り欠いた斜視図である。
【図２１】従来技術に係るＳＣ型光コネクタアダプタの断面図である。
【符号の説明】
１，１Ｂ  光接続用スリーブ
１０，１０Ａ，１０Ｂ  光コネクタアダプタ
２０，２０Ａ，２０Ｂ  スリーブホルダ
２１  第１の筒状体
２２，３５  ストッパ爪
２３，３３  フランジ部
２４，２５  爪部
３０，３０Ａ，３０Ｂ  ハウジング
３１  貫通孔
３４  第２の筒状体
４０  係止ピン
６１，７１  ガイド部材
６５，７５  係止突起
６９，７９  係止孔
【図１】
0004014784.tif 000002
【図２】
0004014784.tif 000003
【図３】
0004014784.tif 000004
【図４】
0004014784.tif 000005
【図５】
0004014784.tif 000006
【図６】
0004014784.tif 000007
【図７】
0004014784.tif 000008
【図８】
0004014784.tif 000009
【図９】
0004014784.tif 000010
【図１０】
0004014784.tif 000011
【図１１】
0004014784.tif 000012
【図１２】
0004014784.tif 000013
【図１３】
0004014784.tif 000014
【図１４】
0004014784.tif 000015
【図１５】
0004014784.tif 000016
【図１６】
0004014784.tif 000017
【図１７】
0004014784.tif 000018
【図１８】
0004014784.tif 000019
【図１９】
0004014784.tif 000020
【図２０】
0004014784.tif 000021
【図２１】
0004014784.tif 000022